(57)【要約】      （修正有）【課題】医療関連情報の検索を視覚的に行い、情報を効率的に得る方法を提供する。【解決手段】ユーザー端末の制御手段符号は、データベース符号に記憶された画像データに基づいて仮想人体マップを表示するとともに、当該人体マップ上の地点の、記憶された各記憶手段の座標に相応する箇所に、図表化したデータベース符号以降の広告対象物、コミュニティ掲示板タイトル、薬情報、病気情報、音響情報を表示し、これらの選択を促し、関連付けられた情報を読み出して、ユーザーの端末へ表示をする一方、情報配信者は、仮想人体マップ上の座標箇所に、相応する前述各情報を指定することを促し、データベースへ格納する。【選択図】図１
2009176260.tif 000002
【特許請求の範囲】
【請求項１】
利用者がクライアントコンピュータシステムにて医療関連情報を検索する際に、あらかじめ記憶された人体の画像データを読み出し、人体を地図化して画面出力する段階と、その人体地図を座標化し、升目毎に符号を割り当てる段階と、升目毎に、インターネットアドレスを関連付け、本システム内外から連動できる段階とを備えることを特徴とする、人体を細分化して表示をする方法。
【請求項２】
あらかじめ記憶された人体の画像データを読み出す際に、その人体マップ上の該当する座標箇所に、あらかじめ情報配信者が、広告、薬情報、コミュニティ掲示板、医療、病気、健康情報を分野カテゴリ毎に登録しておき、利用者が人体の画像データとともに、これらをジャンルやカテゴリ別に表示して、所望する情報の選択やリンクを促す段階と、これらの人体画像データ上の座標箇所を指定するためにポインタを動かし入力機器段階とを備えることを特徴とする、情報の配信方法。
【請求項３】
請求項２において、利用者が選択した項目を記憶し、利用者の嗜好情報をデータベースに記憶する手段と、データベースを任意の設定により優先的に情報を画面出力する段階とを備えることを特徴とする、情報の表示方法。
【請求項４】
あらかじめ記憶された人体の画像データを表示した際、利用者が任意の複数の座標箇所を指定し、請求項１の当該箇所の升目ごとの符号と、当該箇所のインターネットアドレスを記録して、この箇所への名前をつけられる段階と、以後、設定した名前の指定により、升目の符号と、インターネットアドレスを呼び出し、当該箇所の画像を直接表示する段階と、指定した箇所に設定した名前でメモや掲示板を生成する段階とを備えることを特徴とする、情報の格納方法。
【請求項５】
請求項１〜４の情報を、ネットワークを介して他の利用者や情報配信者へ送信し、情報を共有して利用する段階と、その情報数によりデータの表示優先度や重要度を設定する段階とを備えることを特徴とする情報の表示方法。
【請求項６】
請求項１〜５で使用する人体の画像データは、複数に階層化され、情報配信者や利用者の選択により切り替えが出来る段階を備える、情報の配信方法。
【請求項７】
あらかじめ記憶された人体の画像データを読み出す際に、その人体マップ上の該当する座標箇所に、あらかじめ情報配信者が、当該箇所の音波形を登録しておき、利用者が人体の画像データ表示とともに、指定することで音波形を再生することが出来る段階を備える、情報の配信方法。
【発明の詳細な説明】
【技術分野】
【０００１】  本発明は、コンピューターシステムを用いて、リアルタイムに医療、健康情報を供給する方法であり、更新や削除、登録、関連付け方法に関する。
【背景技術】
【０００２】  従来より、書籍やパンフレットなどの印刷物やＣＤ−ＲＯＭのデジタル記録媒体を使って、病気や健康情報、病院、医療情報など体に関する情報を提供していることは知られている。さらに、放送を使用することで、多くの人に、一方向であるが流行の病気や、対処法、ダイエット、健康情報などを提供して役に立っている。また、インターネットを用いることにより、双方向で利用者同士、同じ症状、悩みを持つ人々のコミュニケーションや、最新情報を提供したり、よい病院、名医や、病気や健康に関連する商品の広告を即時的に提供することが可能になった。【０００３】  利用者は、すぐにＰＣや携帯電話など情報端末を入力することで、主体的に情報を調べたり、自らの症状や経験をほかの利用者へ提供することが出来る。
【発明の開示】
【発明が解決しようとする課題】しかしながら、みずからの体に不具合があり症状を調べるとき、多くの関連情報から選択ができるが、その箇所を細かく示して検索するためには、症状や箇所を文書、単語化して検索する必要がある。頭の左部分が痛いときに、頭の左箇所に起こる病名や部位名で検索するためには、医療に関してある程度の知識が必要である。足の裏が痛い際に、足のつま先か、かかとか細かく指定をしなくてはならない。【０００４】  また、多くの人々は、体内の臓器や部位名、そしてその場所を知っているかは限らない。腎臓の位置がどこにあるのか、知らないことが多い。不具合があるときに、具体的な場所を示せず、実際の症状の場所を示すことが困難で、面倒であると同時に信頼性が失われやすい。【０００５】  このように、コンピューターシステムが普及しても、文書化して検索をするという、書籍からの慣例である検索手段が使用されている。【０００６】  本発明は、上述した問題を鑑みてなされたもので、その目的とするところは、極力自分の体の場所を地図のように示すことで、言語化せずに感覚的に早く問題場所を指定でき、なおかつ、その箇所の情報や広告を提供することで、効率的に必要な、医療、薬、健康の情報を閲覧でき、対処方法や、病院情報を検索することができる。【０００７】  利用者が切り替えることにより、体の地図を階層化して、筋肉なのか、臓器なのか、血管なのか目的に応じて地図を切り替えられる。なおかつ、キーボードだけではなく、既存のマウスやモーションコントローラー、ゲームコントローラーを使用することで、直接的に体の地図の箇所を参照することができる。【０００８】  体に不具合があるときや情報を得て教養を深めたいときに、利用者が自主的、かつ効率的に使用できるシステムを提供することであり、ネットワークにおいては各情報が最新であり、また配信者、利用者間で情報を共有することで、同じ症状の人のコミュニケーション、遠距離において相談やカウンセリングを受けたり、実際の診察の前に、医師が事前に患者からの情報を得ておくことができ、対処が早くなる。
【課題を解決するための手段】
【０００９】  上述した問題を解決するために、請求項１に記載の発明にあっては、コンピューターシステムにより医療、健康情報の供給を行うため、あらかじめ登録された画像データにより人体の地図を画面出力し、利用者は体の箇所を画面内の仮想座標をポインタでしめすことができる。【００１０】  請求項２の既存コンピューター入力デバイスにより、画面内の人体を回転や展開、拡大縮小することにより、細かい人体部位を地図のように表す。
示した仮想座標は、ｘ，ｙ，ｚ軸で示すとともに、その座標が含まれる升目やテクスチャーの番号、そしてその座標を付記したインターネットＵＲＬを算出し、システム内外から本画像内の仮想座標位置へリンクさせることができ、コンピューター内のほかのアプリケーションやブラウザからもリンクすることが出来る。
請求項２の発明においては、情報提供者側で請求項１の升目番号や仮想座標に相応した病名や、商品広告画像と説明、関連項目へのシステム内外のリンクを登録しておき、利用者が人体マップを表示した際、画面上へ当該データのタイトルや情報、関連画像を同じ座標上に画面出力を行う。尚、この際利用者のシステム上のスイッチにより、必要な分野・カテゴリ毎に情報を切り替えて、必要な情報のみを表示させることができる。利用者は、この表示を選択してクリックをすることにより、インターネットリンクや他の情報の出力をすることができる。人体マップ上のポインタ移動については、コンピューターの入力装置としてキーボードやマウス、ゲームコントローラー、医療器具で移動、選択を行う。【００１１】  請求項３の発明においては、利用者が本システムへ登録後都度ログインする、もしくは利用履歴をローカルＰＣへ記録することができる。利用者の選択した座標から発生したＵＲＬや升目の記録やその記録回数、箇所の傾向、利用時間や季節により、傾向を得て情報を格納する。利用者の嗜好や傾向を取得することができ、さらに利用者が主体的に登録や保存をすることにより、次回アクセス時に、地図の箇所をダイレクトに表示することができる。また、利用者の選択した座標の指定頻度により、情報の表示優先度を変えることかできる。【００１２】  請求項４の発明においては、人体マップ上の利用者が指定した座標を、名前を付けて記録することができ、その名前を指定することで、直接その画像の箇所を表示することができ、利用者の任意の文書情報や画像を記録格納することが出来る。【００１３】  請求項５の発明においては、請求項１〜４は、情報提供者の情報を一方向で利用者が使用することであるが、利用者の提供情報を他の利用者や情報提供者へ提供して共有を図ることと、情報提供者からの提供に対して回答を行い送信すること、全ての利用者の情報を管理して、利用者全体の傾向を処理して、情報の提供方法の優先度を設定することである。【００１４】  請求項６の発明において、人体の深さを表現する方法として、画像を階層化して利用者の必要とする部位や器官ごとの画像を選択することが出来る。【００１５】  請求項７の発明において、情報配信者は、人体マップ上のの任意の座標位置や升目範囲に音波形を設定することが出来る。そして利用者のコンピューターシステムで人体マップを表示した際、指定した座標ポイントに、あらかじめ上述音波形を設定している場合、利用者の選択によりその音を再生することができる。
【発明の実施のするための最良の形態】
【００１６】  まず、本発明の実施形態の説明をする前に、本願発明の位置づけを説明する。医療情報や関連広告、薬など各情報は、ある者が利用者へ提供することであるが、その提供方法に相応する部分が本願発明である。ある者とは情報配信者をさすが、インターネットの特徴として、双方向でリアルタイムに情報を交換することが出来る。そして、情報配信者は医療従事者や広告の配信企業のみならず、受けてであった利用者も主体的に情報を提供することが出来ることになるし、その広告商品利用利用者も本広告商品を他利用者へ推薦を行い、その商品を他利用者が購入した際にキックバックをもらうことも想定される。
【００１７】  しかし、便宜上一義的に情報配信者と利用者を分けている。本願発明は不特定多数の双方向の医療、健康コミュニケーションを円滑に行うためのシステムをさす。
【００１８】  １：全体構成
以下、本発明における実施形態について図面とともに説明をする。図１は、本実施形態の構成を表すブロック図である。この図における符号１はでありインターネット回線に接続されている。符号１０以降１９まで、ＰＣやゲーム機、ＰＤＡ、携帯電話、電子辞書など各種端末であり、結果を表示できる画面、入力装置として、タッチパッド、キーボード、マウス、ゲームコントローラーなどの入力部を有する。
【００１９】  なお、符号１５のように、常時インターネット回線が使用できない、あるいは使用せずにローカルで実施する際には、ＣＤ−ＲＯＭ、ＤＶＤ−ＲＯＭ、フラッシュメモリーなど外部記録装置や各クライアント内の記録装置に格納し、入力装置、音源装置を備えることで、同様の機能の実現が可能となる。
【００２０】  １−１：の構成
１の詳細構成について説明する。図２は、１の内部を示すブロック図である。この図において、符号２０は制御手段であり、ＣＰＵ等の演算装置から構成され、各部の制御や、データ転送、演算、一時的なデータ格納などを行う。符号２１以降は、記憶、データベース手段であり、後述するデータが格納されている。
【００２１】  尚、常時ネットに接続しない、ローカルで実行する図３の場合は、符号１５クライアント機器として、利用者への入力装置、音源再生装置として符号５０，５１を備え、符号３１から符号３８のテータベースを符号２９の実行プログラムによって、符号２０の処理で行う。
記憶手段２９には、処理制御するためのプログラムが格納されている。
【００２２】  画像処理に関しては、人体を画面に表示する際、画像データを拡大縮小したり、回転処理、３Ｄ演算やポリゴン、テクスチャーなどの画像マッピング方法、ポインタの座標位置を取得し、各ＤＢを検索し、適宜な人体画面上位置や、情報画面上へ結果を表示させるプログラム等から構成される。
【００２３】  記憶手段２１には、画面表示を行う各画像素材や画像を配置するためのレイアウト座標、画像については、女性や男性、そして年齢や人種別の人体画像を格納している。人体画像については、全身表面、各部位、内臓、骨、筋肉などレイヤーで格納されており、クライアントの要求により、各画像を送信する。
【００２４】  また、利用者が、利用者が所有する各部位のファイルを記憶手段２１へ格納することにより、自らの人体画像を表示し、ほか利用者と共有することが出来る。例えば、自分だけの治療跡傷や特有な部位の特徴を画像に反映することが出来る。
【００２５】  これらは、低スペックのクライアント機器用に、軽いデータ量の人体画像や、逆により高度な使用の為に高解像度の画像データへも拡張できる。
【００２６】  記憶手段２２は、広告情報を格納している。外部から供給される広告に対する表示箇所の座標管理テーブル、説明文言、画像サイズ、リンク先ＵＲＬである。これにより、アフェリエイトプログラムなど、汎用的なインターネット広告モデルへも対応する。
また、記憶手段２２へ外部から格納することで、内部も広告情報を所有、管理することが可能であり、前記述同様の処理が可能となる。
【００２７】  利用者が広告対象物をクリックした、表示した情報も当記憶手段２２へ格納される。これにより、データベース内の広告、外部アフェリエイト広告に対する表示の優劣をつけることが出来る。
【００２８】  記憶手段２３は、健康情報として、ダイエット、食事、運動、雑学、統計、教養情報を格納しており、その情報に関連する人体マップの座標情報も格納している。部位ごと、たとえばお腹周りであれば、内臓脂肪を減らすための指導文献などの表示を行う。また、人体マップを利用した、ゲームやクイズの問題などのデータも格納している、
【００２９】  記憶手段２４は、利用者が人体マップ上に設定した座標に、コミュニティ掲示板を設置し、そのアイコンやタイトルをクリックした場合、書き込み可能な掲示板やメモが出現する。利用者のみの、メモ機能のほか、他の利用者と共同で利用するコミュニティ掲示板も生成する。コミュニティ掲示板参加利用者情報、ＩＤ、記録情報を格納する。
【００３０】  記憶手段２５は、病院情報を格納している。利用者のログイン情報によって、利用者のいる地域周辺の病院の情報を優先的に、人体マップのそれぞれの部位ごとに、その分野や科の病院を表示するためのデータベースである、人体マップで示した場所が、脳であれば、利用者地域周辺の脳外科情報が、人体マップの座標に即して表示される。
【００３１】  記録手段２６は、病気や薬情報のデータベースである。家庭の医学など人間に発生する病気や薬情報を格納しており、利用者が人体マップ上、その病気の発生箇所周辺にポイントを当てた場合、もしくは、検索ウインドウで検索をした際に、当該の病気データベースを表示する。薬情報については、その病気や部位に基づいて、該当する薬情報やくするの飲み合わせ、画像などのテータベースを持つ。
【００３２】  記憶手段２７は、クライアントからアクセスする登録利用者情報を格納している。クライアントから、利用者名やパスワード、性別、年齢、体重、慎重、血液型、居住地域や勤務先地域などを入力することにより、その地域周辺に即した記憶手段２２広告情報や記憶手段２５病院情報などとリンクを行い、適宜情報を人体マップ上へ掲出する。
【００３３】  また、人体マップ上のポイントをダイレクトに２回目以降アクセスするために、それらポイントを記録してブックマークをつける。利用者が推す広告情報については、リンク先でほか利用者によってその商品が販売された際には、ポイントを与えるために、記録をさせる。さらに、個々の登録利用者情報を集計した情報も含まれ、全体的な統計、めーけていんぐ情報を管理する。
【００３４】  記憶手段２８は、人体にかかわる音波形やシステムのオペレーション音も格納されており、その音が存在する座標地点も紐付けされている。さらに、インターネット上から利用者がこの音波形を格納することにより、拡張することが出来る。
【００３５】  ２：動作説明
次に、本実施形態の動作について説明をする。図１の端末１０以降１４までは、１と接続されて通信を行い、いずれも広告依頼者の端末としても機能する。また符号１５のように、インターネットに接続しなくても、図３のように、符号３１から３９のＤＢを各ＣＤ−ＲＯＭやメモリ領域に設置し、実行処理プログラムを実行すれば、同様の動作をする。
【００３６】  さらに、インターネット上のと接続する際に、情報の差分のみ、ローカルのハードディスクやメモリに格納をすればよい。これは、家庭用ゲーム機や携帯音楽プレイヤーなど、常時インターネットへ接続しないもの、または、定期的にインターネットへ接続するもの、いずれにも有効である。
【００３７】  １に、符号１０以降の各クライアントが接続されたものとして、図２は、符号１を説明したものである。符号３０インターネット上に接続されたクライアントから指示された命令に応じて、符号２０処理手段が認識し、符号２９プログラムによって、処理を行う。そこで、符号２１〜２７までのデータベースを検索して、それら情報を各クライアントへ通信を行い、２０クライアント側で表示や処理を行う。
【００３８】  また、符号３０インターネットを介して、別のと通信を行い、符号２１〜２８までのデータベースやプログラムを最新の情報へ更新することもできる。これは、病院や広告のＤＢを更新したり、アップデートすることである。かつ、各データベース内には、各クライアントが直接他のへアクセスするための、ドレスも格納されており、各クライアントが直接他のへアクセスできる。これは、広告データは、各広告主の内にデータがあることが多く、直接アクセスできる方が効率が良いからである。
【００３９】  図３は、図１符号１５のように、ネットを介さずに処理をした際の説明である。符号３１〜３９は前述と変わらずに、処理がＰＣ内で直接実行であることが分かる。
図５は、メインプログラムを示すフローチャートである。以下、これに沿って説明をする。
【００４０】  ２−１：登録  登録画面
本サービスのサイトへアクセスをすると、メイン画面図７フローチャートｙｕ−１がクライアント側に表示される。図７は、利用者がみる、クライアント側表示イメージである。一見利用者も含めて、多くの利用者を対象にすることから、登録は必須ではない。しかしながら、人体マップ画像やデータを利用者がいつでも、気になることや利用者にとって必須な情報をあらかじめ設定して、記録させておきたい場合は、利用者登録をしておくことで、その情報をいつでも、また他のクライアントでアクセスした際も反映することが出来る。
【００４１】図７Ｚ７１は、利用者登録をして、ログインをした例である。利用者登録は、基本的にメールアドレスと、それに付随した属性情報で、身長や体重、ＢＭＩ、血液型、居住住所、職場住所、現在地などである。モバイルやカーナビ、ＰＣなど、ＧＰＳ搭載機種が増え、また搭載していなくても、自ら登録しておくことにより、自宅でアクセスした際、職場でアクセスした際にそれぞれの地域に即した広告や情報を配信することが出来る。病院や薬局を利用者周辺から優先的に表示をする。
【００４２】  アクセス毎にＣＯＫＩＥやＩＰアドレスを取得して、クライアント側ブラウザに記憶させておくことにより、登録をしなくても、意識することなく、前回の設定データを反映することが出来る。登録利用者には利便を、そして非登録利用者でも、簡単に使用できるよう前回設定を記録している。
【００４３】  ２−２：全体表示
登録利用者、非登録利用者に関わらず、メイン画面ｙｕ−１が表示される。図４は、表示領域や内容である。表示例は、図７で上の各データベース符号２１〜２８を反映したものであり、情報表示、実際の人体画像が表示される。画像表示については、符号２１人体データベースより、実際の人体を映した写真の３Ｄの表示、そしてＺ７２のように、グラフィックデザイン化した図も表示する。これは、写真が内臓などの体内を表示する、あるいは医学的に性器を表示することから、対象の利用者によって不快に感じることもあり、その対処として、図のデータも用意しておく。図５ｙｕ２のように、利用者の嗜好により、自分の体形に近い人物や人種、性別など人体ＤＢ上で様々な人を模したデータを選択することが出来る。
【００４４】  ２−３：人体表示
人体表示部分については、クライアント側入力装置の操作により、人体の拡大縮小や回転が出来て、３６０度さまざまな視点で見ることが出来る。図８のように、目の部分を調査する際、マウスポインタなどで目の部分をフォーカスして、図９の画面表示上のボリュームや各コントローラーを使用して、ズームインを行う。さらにズームインをすると、人体の内部へフォーカスがあたる。
【００４５】  このように、体全体から、部位、臓器、血流、骨格などをスムーズに切り替えることが出来る。さらに、部位へズームインした際に、その部位が全体的にどの位置であったか、利用者が見失うことも想定される。そこで、図７Ｚ７６のように、現在画面表示されている部分が、体全体のどこの部分であるか、ＤＢ２１の全体画像から取得して、ポインタ座標より四角の枠を即時的に移動させることが出来る。
【００４６】  ２−４：人体上の情報表示
人体表示でポインタを当てると、その周辺の情報を画面出力行う。図７Ｚ７３臍（へそ）の部分をフォーカスすると、この周辺で起こる病気を検索したり、臍やお腹にかかわる病気を治療する病院、臍やおなかに関した話題を扱うコミュニティ掲示板、健康関連のお店、また次回アクセス時にダイレクトに表示させるための、マイマップ登録を行える。そして、各項目を選択することで、ｙｕ７  Ｚ７４のように、情報を表示する。さらに全文を読みたい場合は、ｙｕ８  Ｚ７５のように、詳細表示を行う。この画面例であれば、臍周辺で起こる病名をＤＢ２６から表示している。そして、広告表示として、Ｚ７７のように、この部位に関連する商品の表示を行い、ポインタを当ててクリックをすることで、リンクで商品ページへ飛ぶ。
【００４７】  また、情報表示が多い場合、人体が非常に見にくくなるために、ｙｕ５によって図１０のように、表示情報切り替えが出来る。このスイッチを指定することにより、病院の情報を人体上に表示したいのか、コミュニティ情報なのか、切り替えをすることが出来る。
【００４８】  ２−５：掲示板
図１０の場合は、ｙｕ６において情報表示選択を、コミュニティ情報にしており、画面右側に他の利用者が設置した掲示板タイトルが表示される。これを選択することにより、リンクで掲示板が開く。実際にその周辺の病気を経験した人や、これから治癒するなどの情報交換をこの場所で行うことが出来る。また、図１１のように利用者が自らコミュニティ掲示板を作成することができ、コミュニティ管理者となる。ほかの利用者もアクセスをして情報を共有することも可能である。
【００４９】  ２−６：ＵＲＬ、リンク表示
利用者がポイントを指定した場所にたいして、図８ｙｕ８のように、当該座標のＵＲＬを表示する。これは、本システムが設置されているドメイン名やインターネット、イントラネットアドレスに続き、座標値を付記して、外部から直接リンクが出来る。図８の場合、インターネット上の他の掲示板や、ホームページ、ブログ、メールから、このＵＲＬを指定することで、直接的に眼球部分のズームイン状況でほかの利用者も見ることが出来る。例えば、患者が遠距離にいる医師に不具合の場所を伝えるとき、逆に医師が、患者に確認する際、このＵＲＬを指定することにより、不具合箇所を伝達することが出来る。
【００５０】  また、このＵＲＬやリンク表示によって、他のインターネットサービスやアプリケーションとの連動が図られる。例えば、電子カルテシステムや他のアプリケーション、インターネット上の医療系サービスにおいて、病名や症状の表現時に、当ＵＲＬを指定することにより、リンクで直接表示を行うこともできるし、ブログパーツのように、他のインターネットサービス上、アプリケーション上で、本画像をあたかも、自らのサービス内の画像のように表示をすることが出来る。
【００５１】  ２−７：詳細情報表示
ｙｕ８については、Ｚ７４で表示したダイジェスト情報をさらに詳しく表示する際に、Ｚ７５のように、全体で表示を行う。表示を閉じると、前回の人体の表示に戻る。さらに、詳細なページや、関連する情報ページ、広告などのページへ、外部リンクを行う。ｙｕ９
【００５２】  ２−８：ブックマーク
利用者の登録した情報は図２ＤＢ２７の利用者情報内に格納される。図５ｙｕ１０のステップによると、病気名や広告、病院名、コミュニティなどを登録して利用者ＤＢ１２へ格納する。クライアント表示は図１２のように表示され、毎回アクセス時にダイレクトに部位を指定することが出来る。また、図１３のように登録を解除することが出来る。
【００５３】  ２−９：検索
図５ｙｕ１２のステップは、本システム上の情報を検索する仕組みである。Ｚ７５の場所の検索枠内に、図１４のように、検索したいキーワードを入力すると、ＤＢ２１〜２７内を検索し、その該当する情報を図１５のように表示して、眼球の説明を行う。図１５のＺ１５１のように、その眼球周辺で検索されているキーワードを、ＤＢ２７利用者情報の集計から表出し、全利用者が何に興味があるかを表示することが出来る。
【００５４】  ２−１０：音源再生
図５のｙｕ１３のステップは、人体画像上の座標に相応する音源を、図２ＤＢ２９より再生を行う。図２処理手段２０によって、ポインタ座標を取得し、その座標がＤＢ２８内のその座標あるいは、人体上の人体升目番号内に含まれた際、もしくは、周辺に存在する場合に、音を再生できることをＺ１５１のように、画面表示を行う。図は、スピーカーを表すものであり、利用者に音が再生できることを分かりやすく表出する。
【００５５】  ＤＢ２８内の音源については、初期は体の音として、心臓音や筋肉の音などを用意しておくが、利用者が拡張し、音波形をアップロードするのもよい。また、Ｚ１５２のように、自動設定をしておけば、ポインタが座標内にある場合、音を自動再生することが出来る。この際、立体音響やステレオで再生でき、かつポインタ位置で音の定位や強弱を変化させれば、音響の所在位置を表わし、視覚に障害のある利用者も操作することが出来る。頭の付近であれば、“頭”など、部位名を発生する音声ファイルがあれば良いし、体部分からポインタが外れれば、警告的な音響を鳴らしてもよい。その箇所の説明については、システム外の機器の読み上げ機能によって、音声合成で説明などの発生をすることが出来る。
【００５６】  ３：マーケティング
図２符号２７利用者情報ＤＢには、本システムを利用する登録、非登録利用者の使用履歴が格納され、同時に内外のシステムにおける他ＤＢへのアクセス履歴も記録される。利用者情報ＤＢ内の全利用者の情報を集計することにより、マーケティングデータとして、どの広告商品に興味があったのか、購入をしたのか、病気に関心があるか、など全ＤＢに関する集計を、体全体、部位ごと、女性利用者、男性利用者、血液型、地域などで行うことができる。
【００５７】  ４：印刷、メール出力、外部リンク
利用者に対して、人体や情報部分のスクリーンショットを図１６の印刷スイッチいよって、実施できる。これは、オペレーションシステムのプリンタ設定による部分であるが、外部接続されたプリンターから、人体や情報などを紙へ出力を行うことで、病院の医師などへ情報を伝達し、手渡しをすることができる。
【００５８】  また、同様にメールスイッチによって、オペーレーションシステムのメールアプリケーションが立ち上がり、現スクリーン表示部位座標を記録したＵＲＬをメールへ貼り付け、利用者の指定するメールアドレスへ送信することができ、情報の共有化が図れる。図８のような，ページのリンクとは、現スクリーン表示部位座標を記録したＵＲＬを画面出力して、コピーすることにより、他のアプリケーションのテキストボックスなどに書き込みができる。
【発明の効果】
【００５９】  以上説明したように、本発明は、人体を地図のように示すことで、言語化せずに感覚的に体や、医療や薬などの情報を検索調査することができる。逆に、広告などの情報配信者は、利用者の直観的な操作によって、ビジュアル的に商品を人体上に表示し、イメージや感覚で訴求を行う。
【００６０】  また、利用者は、健常者のみならずあらゆる利用者を想定している。本発明は、音や音声で体の部位や説明を行うことも含んでおり、視覚が不自由な人でも、コントローラーで音を聞くことで、ポインタの示す体の部位の座標を掴み操作を行うことができる。言語に不自由のある利用者も、他者へコミュニケーションをする手段として、各部位をポイント、印刷、ＵＲＬリンクでメールをすることができるため、医師への伝達も容易である。
【００６１】  本発明の操作手段としても、キーボードだけではなく、既存のマウスやモーションコントローラー、ゲームコントローラーで、２Ｄや３Ｄの人体を直観的に制御することができることから、アカデミックな手段のみならず、医療や健康、体を教育するためのシステムや、ゲーム、手段としても、子供から大人まで使用することができる。
【図面の簡単な説明】
【００６２】
【図１】  本発明における実施形態の構成を示すブロック図である。
【図２】  同実施形態におけるサーバ構成を示すブロック図である。
【図３】  同実施形態におけるローカルクライアントＰＣを示すブロック図である。
【図４】  同実施形態の画面出力を表す構成図である。
【図５】  同実施形態の全体フローチャートである。
【図６】  符号２１以降のＤＢを示す、データ構造である。
【図７】  同実施形態のメイン画面の説明を示す画像である。
【図８】  同実施形態の部位、ＵＲＬの説明を示す画像である。
【図９】  同実施形態の拡大縮小部分を示す図である。
【図１０】  同実施形態の情報表示を切り替える図である。
【図１１】  同実施形態の掲示板の説明を示す図である。
【図１２】  同実施形態のブックマークを示す画像である。
【図１３】  同実施形態のブックマーク解除を示す画像である。
【図１４】  同実施形態の拡大時を示す画像である。
【図１５】  同実施形態の効果音再生を示す画像である。
【図１６】  同実施形態の印刷やモードを示す画像である。
【図１７】  同実施形態の部位説明を示す画像である。
【符号の説明】
【００６３】  １−  サーバー
１０−  クライアント機器
１５−  非常時ネットワーク接続クライアント機器
２０，３０  処理手段
２１−２９  データベース
３１−２９  データベース
５０  入力機器
５１  音源装置
【図１】
2009176260.tif 000003
【図２】
2009176260.tif 000004
【図３】
2009176260.tif 000005
【図４】
2009176260.tif 000006
【図５】
2009176260.tif 000007
【図６】
2009176260.tif 000008
【図７】
2009176260.tif 000009
【図８】
2009176260.tif 000010
【図９】
2009176260.tif 000011
【図１０】
2009176260.tif 000012
【図１１】
2009176260.tif 000013
【図１２】
2009176260.tif 000014
【図１３】
2009176260.tif 000015
【図１４】
2009176260.tif 000016
【図１５】
2009176260.tif 000017
【図１６】
2009176260.tif 000018
【手続補正書】
【提出日】平成20年4月29日(2008.4.29)
【手続補正１】
【補正対象書類名】明細書
【補正対象項目名】００６２
【補正方法】変更
【補正の内容】
【００６２】
【図１】本発明における実施形態の構成を示すブロック図である。
【図２】同実施形態におけるサーバ構成を示すブロック図である。
【図３】同実施形態におけるローカルクライアントＰＣを示すブロック図である。
【図４】同実施形態の画面出力を表す構成図である。
【図５】同実施形態の全体フローチャートである。
【図６】符号２１以降のＤＢを示す、データ構造である。
【図７】同実施形態のメイン画面の説明を示す画像である。
【図８】同実施形態の部位、ＵＲＬの説明を示す画像である。
【図９】同実施形態の拡大縮小部分を示す図である。
【図１０】同実施形態の情報表示を切り替える図である。
【図１１】同実施形態の掲示板の説明を示す図である。
【図１２】同実施形態のブックマークを示す画像である。
【図１３】同実施形態のブックマーク解除を示す画像である。
【図１４】同実施形態の拡大時を示す画像である。
【図１５】同実施形態の効果音再生を示す画像である。
【図１６】同実施形態の印刷やモードを示す画像である。